【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
光記録媒体の記録面に光を集光して、記録及び／又は再生を行う光学ピックアップ装置に用いられる対物レンズであって、
上記光記録媒体のカバー部の厚み誤差を含む厚さの相違で生じる３次と５次の球面収差をそれぞれＳＡ３(C)、ＳＡ５(C)とし、
上記対物レンズの倍率収差で発生する３次と５次の球面収差をそれぞれＳＡ３(L)、ＳＡ５(L)としたとき、上記対物レンズが、
０．１＜（ＳＡ５(L)／ＳＡ３(L)）／（ＳＡ５(C)／ＳＡ３(C)）＜１．９
を満足するように形成される
対物レンズ。
【請求項２】
上記対物レンズが、
０．６５＜（ＳＡ５(L)／ＳＡ３(L)）／（ＳＡ５(C)／ＳＡ３(C)）＜１．３５
を満足するように形成される請求項１記載の対物レンズ。
【請求項３】
前記記録及び／又は再生を行う光の波長が４０５ｎｍ付近である請求項１又は２に記載の対物レンズ。
【請求項４】
上記光記録媒体のカバー部の厚み誤差を含む厚さの相違が±２０μｍ以下の場合に対応する請求項１〜３のいずれか１項に記載の対物レンズ。
【請求項５】
上記光記録媒体が、２つの記録面を有して成り、
上記記録面の間の中間層が、２０μｍ以上とされる場合に対応する請求項１〜４のいずれか１項に記載の対物レンズ。
【請求項６】
光記録媒体の記録面に少なくとも対物レンズを用いて光を集光して、記録及び／又は再生を行う光学ピックアップ装置であって、
上記光記録媒体のカバー部の厚み誤差を含む厚さの相違で生じる３次と５次の球面収差をそれぞれＳＡ３(C)、ＳＡ５(C)とし、
上記対物レンズの倍率収差で発生する３次と５次の球面収差をそれぞれＳＡ３(L)、ＳＡ５(L)としたとき、上記対物レンズとして、
０．１＜（ＳＡ５(L)／ＳＡ３(L)）／（ＳＡ５(C)／ＳＡ３(C)）＜１．９
を満足するように形成された対物レンズを用いる
光学ピックアップ装置。
【請求項７】
上記対物レンズとして、
０．６５＜（ＳＡ５(L)／ＳＡ３(L)）／（ＳＡ５(C)／ＳＡ３(C)）＜１．３５
を満足するように形成された対物レンズを用いる請求項６記載の光学ピックアップ装置。
【請求項８】
前記記録及び／又は再生を行う光の波長が４０５ｎｍ付近である請求項６又は７に記載の光学ピックアップ装置。
【請求項９】
上記光記録媒体のカバー部の厚み誤差を含む厚さの相違が±２０μｍ以下の場合に対応する請求項６〜８のいずれか１項に記載の光学ピックアップ装置。
【請求項１０】
上記光記録媒体が、２つの記録面を有して成り、
上記記録面の間の中間層が、２０μｍ以上とされる場合に対応する請求項６〜９のいずれか１項に記載の光学ピックアップ装置。
【請求項１１】
上記光記録媒体のカバー部の厚み誤差を含む厚さの相違で生じる３次と５次の球面収差を、上記対物レンズの倍率収差で発生する３次と５次の球面収差で補正するための手段として、
光軸方向に駆動され位置調整ができるコリメータレンズを有する請求項６〜１０のいずれか１項に記載の光学ピックアップ装置。
【請求項１２】
光記録媒体の記録面に少なくとも対物レンズを用いて光を集光して、記録及び／又は再生を行う光学ピックアップ装置を少なくとも有する光記録再生装置であって、
上記光記録媒体のカバー部の厚み誤差を含む厚さの相違で生じる３次と５次の球面収差をそれぞれＳＡ３(C)、ＳＡ５(C)とし、
上記対物レンズの倍率収差で発生する３次と５次の球面収差をそれぞれＳＡ３(L)、ＳＡ５(L)としたとき、上記対物レンズとして、
０．１＜（ＳＡ５(L)／ＳＡ３(L)）／（ＳＡ５(C)／ＳＡ３(C)）＜１．９
を満足するように形成された対物レンズを含むピックアップ装置を用いる
光記録再生装置。
【請求項１３】
上記対物レンズとして、
０．６５＜（ＳＡ５(L)／ＳＡ３(L)）／（ＳＡ５(C)／ＳＡ３(C)）＜１．３５
を満足するように形成された対物レンズを含むピックアップ装置を用いる請求項１２記載の光記録再生装置。
【請求項１４】
前記記録及び／又は再生を行う光の波長が４０５ｎｍ付近である請求項１２又は１３に記載の光記録再生装置。
【請求項１５】
上記光記録媒体のカバー部の厚み誤差を含む厚さの相違が±２０μｍ以下の場合に対応する請求項１２〜１４のいずれか１項に記載の光記録再生装置。
【請求項１６】
上記光記録媒体が、２つの記録面を有して成り、
上記記録面の間の中間層が、２０μｍ以上とされる場合に対応する請求項１２〜１５のいずれか１項に記載の光記録再生装置。
【請求項１７】
上記光記録媒体が、ＢＤ（登録商標）型の記録層を２層有する光記録媒体である場合に対応する請求項１２〜１６のいずれか１項に記載の光記録再生装置。
【請求項１８】
上記ピックアップ装置は、光軸方向に駆動され位置調整ができるコリメータレンズをさらに有し、
上記コリメータレンズを光軸方向に駆動し位置調整することで収差を補正する請求項１２〜１７のいずれか１項に記載の光記録再生装置。
【請求項１９】
光記録媒体の記録面に少なくとも対物レンズを用いて光を集光して、記録及び／又は再生を行う際に収差を補正する収差補正方法であって、
上記光記録媒体のカバー部の厚み誤差を含む厚さの相違で生じる３次と５次の球面収差をそれぞれＳＡ３(C)、ＳＡ５(C)とし、
上記対物レンズの倍率収差で発生する３次と５次の球面収差をそれぞれＳＡ３(L)、ＳＡ５(L)としたとき、上記対物レンズとして、
０．１＜（ＳＡ５(L)／ＳＡ３(L)）／（ＳＡ５(C)／ＳＡ３(C)）＜１．９
を満足するように形成した対物レンズを用いる
収差補正方法。
【請求項２０】
上記対物レンズとして、
０．６５＜（ＳＡ５(L)／ＳＡ３(L)）／（ＳＡ５(C)／ＳＡ３(C)）＜１．３５
を満足するように形成した対物レンズを用いる請求項１９記載の収差補正方法。
【請求項２１】
前記記録及び／又は再生を行う光を波長４０５ｎｍ付近の光とする請求項１９又は２０に記載の収差補正方法。
【請求項２２】
上記光記録媒体のカバー部の厚み誤差を含む厚さの相違が±２０μｍ以下の場合に対応する請求項１９〜２１のいずれか１項に記載の収差補正方法。
【請求項２３】
上記光記録媒体が、２つの記録面を有して成り、
上記記録面の間の中間層が、２０μｍ以上とされる場合に対応する請求項１９〜２２のいずれか１項に記載の収差補正方法。
【手続補正２】
【補正対象書類名】明細書
【補正対象項目名】０００４
【補正方法】変更
【補正の内容】
【０００４】
このため、球面収差を補正する機構が導入されている。
例えば、ビームエキスパンダーレンズやコリメータレンズを光軸方向に駆動して対物レンズに入射するビームの発散角を変化させて球面収差を発生させて、この球面収差がカバー層の厚み誤差による球面収差と逆の極性になるようにレンズ駆動位置を調整して、収差をいわばキャンセルする方法が提案されている（例えば特許文献１参照）。
【手続補正３】
【補正対象書類名】明細書
【補正対象項目名】０００７
【補正方法】変更
【補正の内容】
【０００７】
このような問題に鑑みて、本発明は、カバー層の厚さ（厚み誤差を含む）の相違で生じる球面収差の３次と５次の成分を同時に補正して、球面収差補正を良好に行うことの可能な対物レンズとこれを用いた光学ピックアップ装置、光記録再生装置及び収差補正方法を提供することを目的とする。
【手続補正４】
【補正対象書類名】明細書
【補正対象項目名】０００８
【補正方法】変更
【補正の内容】
【０００８】
上記課題を解決するため、本発明は、光記録媒体の記録面に光を集光して、記録及び／又は再生を行う対物レンズであって、上記光記録媒体のカバー部の厚み誤差を含む厚さの相違で生じる３次と５次の球面収差をそれぞれＳＡ３(C)、ＳＡ５(C)とし、上記対物レンズの倍率収差で発生する３次と５次の球面収差をそれぞれＳＡ３(L)、ＳＡ５(L)としたとき、上記対物レンズとして、
０．１＜（ＳＡ５(L)／ＳＡ３(L)）／（ＳＡ５(C)／ＳＡ３(C)）＜１．９
を満足するように形成される。
【手続補正５】
【補正対象書類名】明細書
【補正対象項目名】０００９
【補正方法】変更
【補正の内容】
【０００９】
また、本発明は、上述の構成において、対物レンズとして、
０．６５＜（ＳＡ５(L)／ＳＡ３(L)）／（ＳＡ５(C)／ＳＡ３(C)）＜１．３５
を満足するように形成される。
更に、本発明は、上述の各構成において、上記光記録媒体が、２つの記録面を有して成り、上記記録面の間の中間層が、２０μｍ以上とされる。
【手続補正６】
【補正対象書類名】明細書
【補正対象項目名】００１０
【補正方法】変更
【補正の内容】
【００１０】
また、本発明は、光記録媒体の記録面に少なくとも対物レンズを用いて光を集光して、記録及び／又は再生を行う光学ピックアップ装置であって、上記光記録媒体のカバー部の厚み誤差を含む厚さの相違で生じる３次と５次の球面収差をそれぞれＳＡ３(C)、ＳＡ５(C)とし、上記対物レンズの倍率収差で発生する３次と５次の球面収差をそれぞれＳＡ３(L)、ＳＡ５(L)としたとき、上記対物レンズとして、
０．１＜（ＳＡ５(L)／ＳＡ３(L)）／（ＳＡ５(C)／ＳＡ３(C)）＜１．９
を満足するように形成された対物レンズを用いる。
【手続補正７】
【補正対象書類名】明細書
【補正対象項目名】００１１
【補正方法】変更
【補正の内容】
【００１１】
また、本発明は、光記録媒体の記録面に少なくとも対物レンズを用いて光を集光して、記録及び／又は再生を行う光学ピックアップ装置を少なくとも有する光記録再生装置であって、上記光記録媒体のカバー部の厚み誤差を含む厚さの相違で生じる３次と５次の球面収差をそれぞれＳＡ３(C)、ＳＡ５(C)とし、上記対物レンズの倍率収差で発生する３次と５次の球面収差をそれぞれＳＡ３(L)、ＳＡ５(L)としたとき、上記対物レンズとして、
０．１＜（ＳＡ５(L)／ＳＡ３(L)）／（ＳＡ５(C)／ＳＡ３(C)）＜１．９
を満足するように形成された対物レンズを含むピックアップ装置を用いる。
【手続補正８】
【補正対象書類名】明細書
【補正対象項目名】００１２
【補正方法】変更
【補正の内容】
【００１２】
また、本発明は、光記録媒体の記録面に少なくとも対物レンズを用いて光を集光して、記録及び／又は再生を行う際に収差を補正する収差補正方法であって、上記光記録媒体のカバー部の厚み誤差を含む厚さの相違で生じる３次と５次の球面収差をそれぞれＳＡ３(C)、ＳＡ５(C)とし、上記対物レンズの倍率収差で発生する３次と５次の球面収差をそれぞれＳＡ３(L)、ＳＡ５(L)としたとき、上記対物レンズとして、
０．１＜（ＳＡ５(L)／ＳＡ３(L)）／（ＳＡ５(C)／ＳＡ３(C)）＜１．９
を満足するように形成された対物レンズを用いる。
【手続補正９】
【補正対象書類名】明細書
【補正対象項目名】００１３
【補正方法】変更
【補正の内容】
【００１３】
上述の本発明の対物レンズ、光学ピックアップ装置、光記録再生装置及び収差補正方法によれば、対物レンズの倍率収差で発生する３次と５次の球面収差の比を、光記録媒体のカバー部の厚み誤差を含む厚さの相違で生じる３次と５次の球面収差の比に対して適切な範囲に選定することによって、確実にカバー層の厚み誤差を含む厚さの相違による球面収差を補正することができる。
【手続補正１０】
【補正対象書類名】明細書
【補正対象項目名】００１４
【補正方法】変更
【補正の内容】
【００１４】
上述の本発明の対物レンズ及び収差補正方法によれば、以上説明したように、光記録媒体のカバー部の厚み誤差を含む厚さの相違で生じる３次と５次の球面収差をそれぞれＳＡ３(C)、ＳＡ５(C)とし、対物レンズの倍率収差で発生する３次と５次の球面収差をそれぞれＳＡ３(L)、ＳＡ５(L)としたとき、対物レンズを、
０．１＜（ＳＡ５(L)／ＳＡ３(L)）／（ＳＡ５(C)／ＳＡ３(C)）＜１．９
として構成することによって、カバー層の厚み誤差を含む厚さの相違による球面収差を適切な範囲に抑えて、確実に球面収差を補正することができる。
更に、本発明において、対物レンズの倍率収差で生じる３次と５次の球面収差を、
０．６５＜（ＳＡ５(L)／ＳＡ３(L)）／（ＳＡ５(C)／ＳＡ３(C)）＜１．３５
の範囲として構成することによって、カバー層の厚み誤差を含む厚さの相違による球面収差を更に抑制することができて、より精度良く収差を補正することができる。
また、本発明の光学ピックアップ装置及び光記録再生装置によれば、確実に球面収差を補正することができることから、開口数の高い対物レンズを用いる場合においても、高次の収差による記録再生特性の低下を回避することができる。
【手続補正１１】
【補正対象書類名】明細書
【補正対象項目名】００２０
【補正方法】変更
【補正の内容】
【００２０】
このような構成の光記録再生装置１００、光学ピックアップ装置４０に用いる本発明構成の対物レンズ３の一例の概略構成を図３に示す。
図３の例においては、対物レンズ３として２群レンズを採用した場合を示し、光記録媒体１０側から順に第１のレンズ３１及び第２のレンズ３２が配置される。
図３Ａにおいては、光記録媒体１０のカバー層１１の厚さ（厚み誤差を含む）の相違がない場合の光照射態様を示し、光記録媒体１０に照射する記録及び／又は再生用の光Ｌが、光記録媒体１０の記録面において集光されている状態を示す。
一方、図３Ｂにおいては、光記録媒体１０のカバー層１１の厚さ（厚み誤差を含む）の相違がある場合の光照射態様を示し、光記録媒体１０に照射する記録及び／又は再生用の光Ｌが、その記録面からずれて集光された状態を模式的に示す。
【手続補正１２】
【補正対象書類名】明細書
【補正対象項目名】００２１
【補正方法】変更
【補正の内容】
【００２１】
図４に、カバー層の厚さの相違と球面収差との関係を示す。図４において、実線ａは３次の収差ＳＡ３(C)、２点鎖線ｂは５次の収差ＳＡ５(C)、破線ｃは３次と５次の収差の和ＳＡ３(C)＋ＳＡ５(C)を示す。
また、対物レンズの倍率と倍率収差との関係を図５に示す。図５において、実線ｄは３次の収差ＳＡ３(L)、２点鎖線ｅは５次の収差ＳＡ５(L)、破線ｆは３次と５次の収差の和ＳＡ３(L)＋ＳＡ５(L)を示す。
【手続補正１３】
【補正対象書類名】明細書
【補正対象項目名】００２２
【補正方法】変更
【補正の内容】
【００２２】
ここで、例えば図４において、カバー層の厚みに−２０μｍの相違が生じているとすると、３次の収差ＳＡ３(C)は略０．２であることから、倍率収差として−０．２の収差補正量が必要である。このとき、カバー層の厚みに対する５次の収差ＳＡ５(C)と、５次の倍率収差ＳＡ５(L)との和の絶対値が大きいほど、５次の球面収差補正が十分でないこととなる。
【手続補正１４】
【補正対象書類名】明細書
【補正対象項目名】００２３
【補正方法】変更
【補正の内容】
【００２３】
例えば前述の第１の光記録媒体において２層構成とする場合、各層のカバー層の厚さは７５μｍ以上１００μｍ以下とされ、それぞれ±５μｍの厚み誤差に設計される。したがって、カバー層の厚みとしてとりうる範囲は７０〜１０５μｍとなり、この場合、±１７．５〜±２０μｍのカバー層の厚さの差を補正することが要求される。
【手続補正１５】
【補正対象書類名】明細書
【補正対象項目名】００２５
【補正方法】変更
【補正の内容】
【００２５】
これら式（１）又は式（２）に示す範囲に選定することによって、以下に説明するように、良好にカバー層の厚さ（厚み誤差を含む）の相違による収差を補正することができた。
先ず、３次の球面収差を完全に補正した場合に、５次の球面収差の取れ残りをある程度以内とする範囲について検討した。例えば、±０．０３５λrms以内、すなわちMarechal基準（０．０７λrms）の半値以内に抑える条件は、
−０．０３５＜ＳＡ５(L)＋ＳＡ５(C)＜０．０３５ ・・・（３）
となる。３次の球面収差を完全に補正するということは、
−ＳＡ３(L)＝ＳＡ３(C) ・・・（４）
とすることとなる。式（１）に式（４）を代入すると、
０．１＜−ＳＡ５(L)／ＳＡ５(C)＜１．９ ・・・（５）
となる。
【手続補正１６】
【補正対象書類名】明細書
【補正対象項目名】００２６
【補正方法】変更
【補正の内容】
【００２６】
カバー層の厚さ（厚み誤差を含む）の相違をＭ［ｍｍ］とすると、図４に示すカバー層の厚さ（厚み誤差を含む）の相違と球面収差との関係より、５次の球面収差ＳＡ５（Ｃ）は、
ＳＡ５（Ｃ）≒−１．９Ｍ・・・（６）
である。
したがって、式（５）及び（６）より、
０．１＜ＳＡ５（Ｌ）／（１．９Ｍ）＜１．９・・・（７）
となり、Ｍ＞０のとき、
０．１９Ｍ＜ＳＡ５（Ｌ）＜３．６１Ｍ・・・（８）
となって、式（６）及び（８）より、
−１．７１Ｍ＜ＳＡ５（Ｌ）＋ＳＡ５（Ｃ）＜１．７１Ｍ・・・（９）
が与えられる。
【手続補正１７】
【補正対象書類名】明細書
【補正対象項目名】００２８
【補正方法】変更
【補正の内容】
【００２８】
上述したように、カバー層の厚み誤差を含む厚さの相違の範囲は±２０μｍ程度とすると、Ｍ＝０．０２［ｍｍ］のとき、式（９）より、
−０．０３４２＜ＳＡ５（Ｌ）＋ＳＡ５（Ｃ）＜０．０３４２
となり、上記式（３）の条件を満足することがわかる。また、Ｍ＝−０．０２［ｍｍ］のときは、上記式（１１）より、
−０．０３４２＜ＳＡ５（Ｌ）＋ＳＡ５（Ｃ）＜０．０３４２
となって、同様に上記式（３）の条件を満足することがわかる。
上記式（９）及び（１１）に規定される範囲を図６において、実線ｇ及び破線ｈの間の領域Ａ及びＢとしてそれぞれ示す。
以上説明したように、対物レンズの倍率収差で生じる３次及び５次の球面収差の比ＳＡ５（Ｌ）／ＳＡ３（Ｌ）を、上記式（１）の範囲に選定することによって、上記式（３）の条件を満たし、十分球面収差補正を行うことができることがわかる。
【手続補正１８】
【補正対象書類名】明細書
【補正対象項目名】００３０
【補正方法】変更
【補正の内容】
【００３０】
カバー層の厚さ（厚み誤差を含む）の相違をＭ［ｍｍ］とすると、図４に示すカバー層の厚さ（厚み誤差を含む）の相違と球面収差の関係より、５次の球面収差ＳＡ５（Ｃ）は、
ＳＡ５（Ｃ）≒−１．９Ｍ・・・（１５）
である。
したがって、式（１４）及び（１５）より、
０．６５＜ＳＡ５（Ｌ）／（１．９Ｍ）＜１．３５・・・（１６）
となり、Ｍ＞０のとき、
１．２３５Ｍ＜ＳＡ５（Ｌ）＜２．５６５Ｍ・・・（１７）
となって、式（１５）及び（１７）より、
−０．６６５Ｍ＜ＳＡ５（Ｌ）＋ＳＡ５（Ｃ）＜０．６６５Ｍ・・・（１８）
が与えられる。
【手続補正１９】
【補正対象書類名】明細書
【補正対象項目名】００３２
【補正方法】変更
【補正の内容】
【００３２】
上述したように、カバー層の厚さ（厚み誤差を含む）の相違の範囲は±２０μｍ程度とすると、Ｍ＝０．０２［ｍｍ］のとき、式（１８）より、
−０．０１３３＜ＳＡ５（Ｌ）＋ＳＡ５（Ｃ）＜０．０１３３
となり、上記式（１２）の条件を満足することがわかる。また、Ｍ＝−０．０２［ｍｍ］のときは、上記式（２０）より、
−０．０１３３＜ＳＡ５（Ｌ）＋ＳＡ５（Ｃ）＜０．０１３３
となって、同様に上記式（１２）の条件を満足することがわかる。
上記式（１８）及び（２０）に規定される範囲を図７において、実線ｋ及び破線ｍの間の領域Ｃ及びＤとしてそれぞれ示す。
このように、対物レンズの倍率収差で生じる３次及び５次の球面収差の比ＳＡ５（Ｌ）／ＳＡ３（Ｌ）を、上記式（２）の範囲に選定することによって、上記式（１２）の条件を満たし、十分球面収差補正を行うことができることがわかる。
【手続補正２０】
【補正対象書類名】明細書
【補正対象項目名】００３３
【補正方法】変更
【補正の内容】
【００３３】
なお、上述したように、上記式（２）の条件によって、カバー層の厚さ（厚み誤差を含む）の相違±０．０２［ｍｍ］の範囲において球面収差を十分良好に、すなわち０．０１５λｒｍｓ以下に補正することができるが、この式（２）の条件式を用いれば、カバー層の厚さ（厚み誤差を含む）の相違が±０．０５［ｍｍ］以内の場合に、球面収差を０．０３５λｒｍｓ以下とすることができる。すなわち、上記式（２）の範囲に選定する場合には、カバー層の厚さ（厚み誤差を含む）の相違±０．０５［ｍｍ］以内において良好な収差補正特性が得られる。
【手続補正２１】
【補正対象書類名】明細書
【補正対象項目名】００３４
【補正方法】変更
【補正の内容】
【００３４】
以上説明したように、本発明による対物レンズ、これを用いた光学ピックアップ装置、光記録再生装置及び収差補正方法によれば、対物レンズの倍率収差で生じる３次及び５次球面収差の比を適切な範囲に選定することによって、確実にカバー層の厚さ（厚み誤差を含む）の相違によって生じる球面収差を補正することができる。
なお、本発明は、上述の例に限定されるものではなく、例えば対物レンズを２群レンズとすることなく、１枚の対物レンズで本発明構成を実現することが可能である。また、その他光学ピックアップ装置、光記録再生装置において、例えば第２の光記録媒体、第３の光記録媒体等との互換性を有する構成とすることもできるなど、本発明構成を逸脱しない
範囲で種々の変形、変更が可能であることはいうまでもない。
【手続補正２２】
【補正対象書類名】明細書
【補正対象項目名】００３５
【補正方法】変更
【補正の内容】
【００３５】
【図１】本発明による光記録再生装置の一例の概略構成図である。
【図２】本発明による光学ピックアップ装置の一例の概略構成図である。
【図３】本発明による対物レンズの一例の概略構成図である。
【図４】カバー層の厚さの相違と球面収差との関係を示す図である。
【図５】対物レンズの倍率と倍率収差との関係を示す図である。
【図６】カバー層の厚さの相違と５次収差の和との関係を示す図である。
【図７】カバー層の厚さの相違と５次収差の和との関係を示す図である。
【手続補正２３】
【補正対象書類名】図面
【補正対象項目名】図４
【補正方法】変更
【補正の内容】
【図４】
2006031901.tif 000001
【手続補正２４】
【補正対象書類名】図面
【補正対象項目名】図６
【補正方法】変更
【補正の内容】
【図６】
2006031901.tif 000002
【手続補正２５】
【補正対象書類名】図面
【補正対象項目名】図７
【補正方法】変更
【補正の内容】
【図７】
2006031901.tif 000003